(57)【要約】【課題】急激な入力レベルの変化に対応可能にダイナミックレンジを広くする。【解決手段】少なくとも，アンテナにて受信したテレビ信号を検波する検波回路と，テレビ信号を減衰させる第１信号減衰回路と，この減衰量を所定量に制御する制御回路とから成る複数のテレビ信号受信経路から出力されたテレビ信号を混合して一本の伝送線路で出力する混合部と，夫々の検波回路の検波信号を比較・判定し，混合部から出力される信号が所望のアンテナからのテレビ信号となるように，前記第１信号減衰回路の減衰量を制御する信号処理部と，前記混合部から出力されたテレビ信号を増幅する端末側増幅部と，から成り，前記信号処理部は，各アンテナで受信したテレビ信号の受信レベルが最も大きいテレビ信号受信経路の第１信号減衰器の減衰量を最小にし，残りのテレビ信号受信経路に介設した第１信号減衰器の減衰量を最大値する。【選択図】  図１
2007081975.tif 000002
【特許請求の範囲】
【請求項１】
テレビ放送波受信用の複数のアンテナにて受信したテレビ信号を端末側に一本の伝送線路によって伝送するためのテレビ受信用増幅装置において，
少なくとも，アンテナにて受信したテレビ信号を通過すると共に，該受信したテレビ信号の一部を分岐する第１出力分岐回路と，該第１出力分岐回路により分岐されたテレビ信号に基づいて検波信号を生成する第１検波回路と，前記第１出力分岐回路から出力されたテレビ信号を減衰させる第１信号減衰回路と，該第１信号減衰器の減衰量を所定量に制御するための第１制御回路と，から成る複数のテレビ信号受信経路と，
夫々のテレビ信号受信経路から出力されたテレビ信号を混合して一本の伝送線路で出力する混合部と，
夫々の前記第１検波回路によって検出した検波信号を受入れてその大きさを比較・判定すると共に，この判定に基づいて，前記混合部から出力される信号が所望のテレビ信号受信経路からのテレビ信号となるように，前記第１信号減衰回路の減衰量を制御する第１制御回路に対する第１信号制御回路制御信号を生成する信号処理部と，
前記混合部から出力され，伝送線路を介して入力されたテレビ信号を所定レベルまで増幅する端末側増幅部と，から成り，
前記信号処理部は，夫々の前記第１検波回路から出力される検波信号に基づいて，何れのアンテナで受信したテレビ信号の受信レベルが一番大きいかを判定すると共に，この判定結果に基づいて，受信レベルが最も大きいテレビ信号受信経路に備えた第１信号減衰器の減衰量を最小値にすると共に，残りのテレビ信号受信経路に備えた第１信号減衰器の減衰量を最大値となるように制御するように構成したことを特徴としたテレビ受信用増幅装置。
【請求項２】
前記信号処理部は，夫々の前記検波回路から出力される検波信号に基づいて，何れのアンテナで受信したテレビ信号の受信レベルが一番大きいかを判定すると共に，この判定結果に基づいて，受信レベルが最も大きいテレビ信号受信経路に介設した第１信号減衰回路の減衰量を最小値にする制御と，残りのテレビ信号受信経路に介設した第１信号減衰回路の減衰量を最大値にする制御と，を所定時間だけずらして行うようにしたことを特徴とした請求項１に記載のテレビ受信用増幅装置。
【請求項３】
前記端末側増幅部は，少なくとも，前記伝送線路を介して入力されたテレビ信号を減衰させる第２信号減衰回路と，
前記第２信号減衰回路にて減衰されたテレビ信号を増幅するテレビ信号増幅回路と，
前記テレビ信号増幅回路にて増幅されたテレビ信号を出力端子側へ出力すると共に，該増幅されたテレビ信号の一部を分岐させる第２出力分岐回路と，
端末側から伝送線路を介して供給される電源電圧を出力側から受け入れると共に，前記第２出力分岐回路から出力されるテレビ信号を出力側へ出力する端末側増幅部電源分離・重畳回路と，
前記テレビ信号増幅回路による増幅後のテレビ信号が所定レベルとなるように，前記第２出力分岐回路により分岐されたテレビ信号に基づいて，前記第２信号減衰回路の減衰量を制御するための第２信号減衰回路制御電圧を生成する第２制御回路と，
から成り，自動利得調整付きの増幅器であるように構成したことを特長とした請求項１又は請求項２の何れか一項に記載のテレビ受信用増幅装置。
【請求項４】
アンテナと，前記テレビ信号受信経路における第１出力分岐回路との間には，夫々，アンテナ側増幅部を備え，該アンテナ側増幅部は，前記端末側増幅部と伝送線路と混合部を介して端末側から供給される電源電圧によって動作するように構成したことを特徴とした請求項１乃至請求項３の何れか一項に記載のテレビ受信用増幅装置。
【請求項５】
アンテナと，前記テレビ信号受信経路における第１出力分岐回路との間には，夫々，アンテナ側増幅部と，信号通過回路と，並列に接続された前記アンテナ側増幅部及び信号通過回路の何れか一方の経路を選択的に切換可能な信号経路選択手段とを備え，少なくとも前記アンテナ側増幅部は，前記端末側増幅部と伝送線路と混合部を介して端末側から供給される電源電圧によって動作するように構成したことを特徴とした請求項１乃至請求項３の何れか一項に記載のテレビ受信用増幅装置。
【請求項６】
前記信号処理部は，夫々のテレビ信号受信経路に備えた検波回路によって検出された検波信号が所定基準値より大きいか小さいかを判定すると共に，少なくとも１つの検波回路において検出された検波信号が，前記所定基準値より大きいと判定されたなら，この判定結果に基づいて，全てのテレビ信号受信経路において，アンテナからのテレビ信号が前記信号通過回路を通過するように前記信号経路選択手段を切換制御し，
夫々の検波回路において検出された検波信号が，何れも前記所定の値より小さいと判定されたなら，この判定結果に基づいて，全てのテレビ信号受信経路において，アンテナからのテレビ信号が前記アンテナ側増幅部を通過するように前記信号経路選択手段を切換制御する，ように構成したことを特徴とした請求項５に記載のテレビ受信用増幅装置。
【請求項７】
テレビ受信用のアンテナと，少なくとも前記混合部と端末側増幅部との間に介設する所定長さの伝送線路と，を予め備えたことを特徴とした請求項１乃至請求項６の何れか一項に記載のテレビ受信用増幅装置。
【請求項８】
少なくとも，前記混合部と端末側増幅部との間に介設する伝送線路は，外形寸法が２．５ｍｍと同じ若しくはこれより細径の同軸ケーブルを使用するように構成したことを特徴とした請求項１乃至請求項７の何れか一項に記載のテレビ受信用増幅装置。
【請求項９】
少なくとも前記テレビ受信用のアンテナは，車体の外部に装着された表示灯若しくは広告塔に内蔵するように構成したことを特徴とした請求項１乃至請求項８の何れか一項に記載のテレビ受信用増幅装置。
【請求項１０】
前記テレビ受信用のアンテナは，フィルムアンテナから成ることを特徴とした請求項１乃至請求項９の何れか一項に記載のテレビ受信用増幅装置
【請求項１１】
前記テレビ受信用増幅装置は地上ディジタル放送受信用であることを特徴とした請求項１乃至請求項１０の何れか一項に記載のテレビ受信用増幅装置。
【請求項１２】
少なくとも，テレビ受信用のアンテナと，該アンテナにて受信したテレビ信号を増幅して端末側に一本の伝送線路によって伝送する増幅部とから成るテレビ受信用増幅装置を備えたテレビ受信システムにおいて，
前記テレビ受信用増幅装置は，請求項１乃至請求項１１の何れかに記載のテレビ受信用増幅装置用いて構成したことを特徴としたテレビ受信システム。
【発明の詳細な説明】
【技術分野】
【０００１】
本発明は，主にテレビ放送受信用に利用されるテレビ受信用増幅装置に関し，詳しくは主に地上ディジタル放送受信する移動体に利用される増幅部の回路，及び，これを用いた受信システムに関する。
【背景技術】
【０００２】
従来からテレビ受信用増幅装置はテレビ放送用のアンテナの近傍に取付けられて使用するものや，テレビ等の端末側装置の近傍に取付けられるものがあった。アンテナの近傍に取付けて使用するものは，テレビの画像を見ながら利得調整等の作業をする事が必要となるために，工事者一人での取付工事には無理があり，作業効率が著しく悪いものであった。一方テレビ等の端末側装置の近傍に取付けるものは，アンテナと増幅装置との間に介設した同軸ケーブルの伝送損失によって，増幅装置への入力レベルが低下し，Ｃ／Ｎが劣化してしまうといった問題があった。
そこで，このような問題点を解決するために，増幅装置をアンテナ近傍に設置する第１の増幅装置と端末側装置の近傍に設置する第２の増幅装置とに分けたものが提案されおり，テレビアンテナで受信された信号は，同軸ケーブルを介して第１の増幅装置に入力される。入力された信号は切換手段によって，第１の増幅器若しくは減衰器が選択されてから，電源分離フィルタを通過後に第１の増幅部から出力される。この切換手段は例えば高周波の信号経路を切換可能な高周波リレーによって構成されており，この信号経路の選択は第２の増幅装置に備えさせたスイッチによってよって行われる。
更に第２の増幅装置に備えさせた電源からは前記第１の増幅器及び前記第２の増幅装置に備えさせた第２の増幅器にも最適な電源が供給される。こうして第１の増幅装置において増幅された受信信号は，同軸ケーブルを介して前記第２の増幅装置に入力される。この入力信号は電源分離フィルタを通過後，可変減衰器で適宜利得調整されてから第２の増幅器で増幅された後に第２の増幅装置から出力され，テレビ受像機等に供給される。
従ってこの実施例では，テレビ受像機を見ながら利得調整ができるばかりでなく，スイッチの操作で増幅装置のダイナミックレンジを広げることができるので，電界強度が大きく異なる地域用に共通に使用できるテレビ受信用増幅装置が提供されている。
（例えば特許文献１参照）
【０００３】
【特許文献１】特開平６−３２６５３４号公報
【発明の開示】
【発明が解決しようとする課題】
【０００４】
ところで，ＵＨＦ帯で開始された地上ディジタル放送は，マルチパス（多重波伝送路）のように伝達経路の違いで到達時間に遅れが生じた電波に対しても，その遅れがガードインターバルの範囲内なら妨害を受けないし，レベル変動に対しても強く，電界強度が所定レベル以上有れば綺麗に受信できる，と言った特長を有し，移動体でも安定した受信ができるようになっている。
そこで，移動体にも従来例に示されるような第１の増幅装置と端末側装置の近傍に設置する第２の増幅装置とに分けダイナミックレンジを広くした増幅装置の装着が考えられる。即ちアンテナ近傍には第１の増幅装置を設置し，そこで増幅した信号を同軸ケーブルで移動体内に引き込むようにすれば，受信レベル低下させることなく端末側装置に信号を供給できるのである。
ところが，地上ディジタル放送は，上述のようにレベル変動には強いものの，電界強度が所定レベル以下になると急激に移らなくなる「がけ効果（Ｃｌｉｆｆ  Ｅｆｆｅｃｔ）」を有することから，都市部などのように，ビルなどによって電波が遮られ電界強度が急激に変化したり，ビルなどの反射によるマルチパスが多かったりする地域において，更に安定した受信を行うには，例えば複数のアンテナを夫々異なる方向に向けて移動体に備えさせておけば，直接波であっても反射波（所定の時間内の遅延時間を有した遅延波）であっても，何れかのアンテナからの最もレベルの高い信号を受信できれば，受信できる確立が大きくなるのである。
しかしこのように複数のアンテナとテレビ信号受信経路を備えさせたことによって，受信レベルの低い信号経路からも何かしらの信号が端末側装置（例えば，地上ディジタル放送用チューナ）に入力されることから，これがＣ／Ｎの原因となり，結局，画像がフリーズしたり，受信画質が低下し最悪，映像断となったりしないようにしなければならないといった問題があった。
そこで本発明はこのような問題点を解決するためになされたものであり，
その目的は，移動体に適した地上ディジタル放送用のテレビ受信用増幅装置を提供することにある。
他の目的は，特に入力レベルのダイナミックレンジの広いテレビ受信用増幅装置を提供することにある。
他の目的は，常に最適な受信状態にあるテレビ信号を増幅可能なテレビ受信用増幅装置を提供する事にある。
他の目的は，常に最適な受信状態にあるテレビ信号を一定の出力レベルで出力することができるテレビ受信用増幅装置を提供する事にある。
他の目的は，例えば車などの移動体でテレビ受信を行うのに適したテレビ受信用増輻装置を提供する事にある。
他の目的は，例えば車などの移動体に配設が容易なテレビ受信用増輻装置及び受信システムを提供する事にある。
【課題を解決するための手段】
【０００５】
上記課題を解決するために，請求項１の発明は，テレビ放送波受信用の複数のアンテナにて受信したテレビ信号を端末側に一本の伝送線路によって伝送するためのテレビ受信用増幅装置において，少なくとも，アンテナにて受信したテレビ信号を通過すると共に，該受信したテレビ信号の一部を分岐する第１出力分岐回路と，該第１出力分岐回路により分岐されたテレビ信号に基づいて検波信号を生成する第１検波回路と，前記第１出力分岐回路から出力されたテレビ信号を減衰させる第１信号減衰回路と，該第１信号減衰器の減衰量を所定量に制御するための第１制御回路と，から成る複数のテレビ信号受信経路と，  夫々のテレビ信号受信経路から出力されたテレビ信号を混合して一本の伝送線路で出力する混合部と，夫々の前記第１検波回路によって検出した検波信号を受入れてその大きさを比較・判定すると共に，この判定に基づいて，前記混合部から出力される信号が所望のテレビ信号受信経路からのテレビ信号となるように，前記第１信号減衰回路の減衰量を制御する第１制御回路に対する第１信号制御回路制御信号を生成する信号処理部と，前記混合部から出力され，伝送線路を介して入力されたテレビ信号を所定レベルまで増幅する端末側増幅部と，から成り，
前記信号処理部は，夫々の前記第１検波回路から出力される検波信号に基づいて，何れのアンテナで受信したテレビ信号の受信レベルが一番大きいかを判定すると共に，この判定結果に基づいて，受信レベルが最も大きいテレビ信号受信経路に備えた第１信号減衰器の減衰量を最小値にすると共に，残りのテレビ信号受信経路に備えた第１信号減衰器の減衰量を最大値となるように制御するように構成した。
【０００６】
請求項２の発明は，請求項１に記載のテレビ受信用増幅装置において，前記信号処理部は，夫々の前記検波回路から出力される検波信号に基づいて，何れのアンテナで受信したテレビ信号の受信レベルが一番大きいかを判定すると共に，この判定結果に基づいて，受信レベルが最も大きいテレビ信号受信経路に介設した第１信号減衰回路の減衰量を最小値にする制御と，残りのテレビ信号受信経路に介設した第１信号減衰回路の減衰量を最大値にする制御と，を所定時間だけずらして行うように構成した。
【０００７】
請求項３の発明は，請求項１又は請求項２の何れか一項に記載のテレビ増幅装置において，前記端末側増幅部は，少なくとも，前記伝送線路を介して入力されたテレビ信号を減衰させる第２信号減衰回路と，前記第２信号減衰回路にて減衰されたテレビ信号を増幅するテレビ信号増幅回路と，前記テレビ信号増幅回路にて増幅されたテレビ信号を出力端子側へ出力すると共に，該増幅されたテレビ信号の一部を分岐させる第２出力分岐回路と，  端末側から伝送線路を介して供給される電源電圧を出力側から受け入れると共に，前記第２出力分岐回路から出力されるテレビ信号を出力側へ出力する端末側増幅部電源分離・重畳回路と，前記テレビ信号増幅回路による増幅後のテレビ信号が所定レベルとなるように，前記第２出力分岐回路により分岐されたテレビ信号に基づいて，前記第２信号減衰回路の減衰量を制御するための第２信号減衰回路制御電圧を生成する第２制御回路と，から成り，自動利得調整付きの増幅器であるように構成した。
【０００８】
請求孔４の発明は，請求項１乃至請求項３の何れか一項に記載のテレビ受信用増幅装置において，アンテナと，前記テレビ信号受信経路における第１出力分岐回路との間には，夫々，アンテナ側増幅部を備え，該アンテナ側増幅部は，前記端末側増幅部と伝送線路と混合部を介して端末側から供給される電源電圧によって動作するように構成した。
【０００９】
請求項５の発明は，前請求項１乃至請求項３の何れか一項に記載のテレビ受信用増幅装置において，アンテナと，前記テレビ信号受信経路における第１出力分岐回路との間には，夫々，アンテナ側増幅部と，信号通過回路と，並列に接続された前記アンテナ側増幅部及び信号通過回路の何れか一方の経路を選択的に切換可能な信号経路選択手段とを備え，少なくとも前記アンテナ側増幅部は，前記端末側増幅部と伝送線路と混合部を介して端末側から供給される電源電圧によって動作するように構成した。
【００１０】
請求項６の発明は，請求項５に記載のテレビ受信用増幅装置において，前記信号処理部は，夫々のテレビ信号受信経路に備えた検波回路によって検出された検波信号が所定基準値より大きいか小さいかを判定すると共に，少なくとも１つの検波回路において検出された検波信号が，前記所定基準値より大きいと判定されたなら，この判定結果に基づいて，全てのテレビ信号受信経路において，アンテナからのテレビ信号が前記信号通過回路を通過するように前記信号経路選択手段を切換制御し，
夫々の検波回路において検出された検波信号が，何れも前記所定の値より小さいと判定されたなら，この判定結果に基づいて，全てのテレビ信号受信経路において，アンテナからのテレビ信号が前記アンテナ側増幅部を通過するように前記信号経路選択手段を切換制御する，ように構成した。
【００１１】
請求項７の発明は，請求項１乃至請求項６の何れか一項に記載のテレビ受信用増幅装置において，テレビ受信用のアンテナと，少なくとも前記混合部と端末側増幅部との間に介設する所定長さの伝送線路と，を予め備えた。
【００１２】
請求項８の発明は，請求項１乃至請求項７の何れか一項に記載のテレビ受信用増幅装置において，少なくとも，前記混合部と端末側増幅部との間に介設する伝送線路は，外形寸法が２．５ｍｍと同じ若しくはこれより細径の同軸ケーブルを使用するように構成した。
【００１３】
請求項９の発明は，請求項１乃至請求項８の何れか一項に記載のテレビ受信用増幅装置において，少なくとも前記テレビ受信用のアンテナは，車体の外部に装着された表示灯若しくは広告塔に内蔵するように構成した。
【００１４】
請求項１０の発明は，請求項１乃至請求項９の何れか一項に記載のテレビ受信用増幅装置において，前記テレビ受信用のアンテナは，フィルムアンテナから成るように構成した。
【００１５】
請求項１１の発明は，請求項１乃至請求項１０の何れか一項に記載のテレビ受信用増幅装置において，前記テレビ受信用増幅装置は地上ディジタル放送受信用であるように構成した。
【００１６】
請求項１２の発明は，少なくとも，テレビ受信用のアンテナと，該アンテナにて受信したテレビ信号を増幅して端末側に一本の伝送線路によって伝送する増幅部とから成るテレビ受信用増幅装置を備えたテレビ受信システムにおいて，
前記テレビ受信用増幅装置は，請求項１乃至請求項１１の何れかに記載のテレビ受信用増幅装置用いて構成した。
【発明の効果】
【００１７】
請求項１の発明によれば，テレビ放送波受信用の複数のアンテナにて受信したテレビ信号を端末側に一本の伝送線路によって伝送するためのテレビ受信用増幅装置において，少なくとも，アンテナにて受信したテレビ信号を通過すると共に，該受信したテレビ信号の一部を分岐する第１出力分岐回路と，該第１出力分岐回路により分岐されたテレビ信号に基づいて検波信号を生成する第１検波回路と，前記第１出力分岐回路から出力されたテレビ信号を減衰させる第１信号減衰回路と，該第１信号減衰器の減衰量を所定量に制御するための第１制御回路と，から成る複数のテレビ信号受信経路と，  夫々のテレビ信号受信経路から出力されたテレビ信号を混合して一本の伝送線路で出力する混合部と，夫々の前記第１検波回路によって検出した検波信号を受入れてその大きさを比較・判定すると共に，この判定に基づいて，前記混合部から出力される信号が所望のテレビ信号受信経路からのテレビ信号となるように，前記第１信号減衰回路の減衰量を制御する第１制御回路に対する第１信号制御回路制御信号を生成する信号処理部と，前記混合部から出力され，伝送線路を介して入力されたテレビ信号を所定レベルまで増幅する端末側増幅部と，から成り，
前記信号処理部は，夫々の前記第１検波回路から出力される検波信号に基づいて，何れのアンテナで受信したテレビ信号の受信レベルが一番大きいかを判定すると共に，この判定結果に基づいて，受信レベルが最も大きいテレビ信号受信経路に備えた第１信号減衰器の減衰量を最小値にすると共に，残りのテレビ信号受信経路に備えた第１信号減衰器の減衰量を最大値となるように制御するように構成したので，
これによって，常に，一番強い受信レベル状態にあるアンテナからのテレビ信号を選択的に選んで増幅することができる。また，残りの信号経路からは信号が増幅部に入力されないので，雑音等の妨害信号を増幅部に入力させないようにすることができる。
【００１８】
請求項２の発明によれば，請求項１に記載のテレビ受信用増幅装置において，前記信号処理部は，夫々の前記検波回路から出力される検波信号に基づいて，何れのアンテナで受信したテレビ信号の受信レベルが一番大きいかを判定すると共に，この判定結果に基づいて，受信レベルが最も大きいテレビ信号受信経路に介設した第１信号減衰回路の減衰量を最小値にする制御と，残りのテレビ信号受信経路に介設した第１信号減衰回路の減衰量を最大値にする制御と，を所定時間だけずらして行うように構成したので，
これによって，常に，一番強い受信レベル状態にあるアンテナからのテレビ信号を取り入れるための切換操作があっても，それに伴って発生する雑音による影響を無くすことができる。
【００１９】
請求項３の発明によれば，請求項１又は請求項２の何れか一項に記載のテレビ増幅装置において，前記端末側増幅部は，少なくとも，前記伝送線路を介して入力されたテレビ信号を減衰させる第２信号減衰回路と，前記第２信号減衰回路にて減衰されたテレビ信号を増幅するテレビ信号増幅回路と，前記テレビ信号増幅回路にて増幅されたテレビ信号を出力端子側へ出力すると共に，該増幅されたテレビ信号の一部を分岐させる第２出力分岐回路と，  端末側から伝送線路を介して供給される電源電圧を出力側から受け入れると共に，前記第２出力分岐回路から出力されるテレビ信号を出力側へ出力する端末側増幅部電源分離・重畳回路と，前記テレビ信号増幅回路による増幅後のテレビ信号が所定レベルとなるように，前記第２出力分岐回路により分岐されたテレビ信号に基づいて，前記第２信号減衰回路の減衰量を制御するための第２信号減衰回路制御電圧を生成する第２制御回路と，から成り，自動利得調整付きの増幅器であるように構成したので，
これによって，常に，一番強い受信レベル状態にあるアンテナからのテレビ信号を一定の出力レベルで出力することができる。
【００２０】
請求項４の発明によれば，請求項１乃至請求項３の何れか一項に記載のテレビ受信用増幅装置において，アンテナと，前記テレビ信号受信経路における第１出力分岐回路との間には，夫々，アンテナ側増幅部を備え，該アンテナ側増幅部は，前記端末側増幅部と伝送線路と混合部を介して端末側から供給される電源電圧によって動作するように構成したので，
これによって，電界強度が弱い地域においても対応可能となる。
【００２１】
請求項５の発明によれば，前請求項１乃至請求項３の何れか一項に記載のテレビ受信用増幅装置において，アンテナと，前記テレビ信号受信経路における第１出力分岐回路との間には，夫々，アンテナ側増幅部と，信号通過回路と，並列に接続された前記アンテナ側増幅部及び信号通過回路の何れか一方の経路を選択的に切換可能な信号経路選択手段とを備え，少なくとも前記アンテナ側増幅部は，前記端末側増幅部と伝送線路と混合部を介して端末側から供給される電源電圧によって動作するように構成したので，
これによって，電界強度が弱い地域でも強い地域でも対応可能なようにダイナミックレンジを広くすることができる。
【００２２】
請求項６の発明によれば，請求項５に記載のテレビ受信用増幅装置において，前記信号処理部は，夫々のテレビ信号受信経路に備えた検波回路によって検出された検波信号が所定基準値より大きいか小さいかを判定すると共に，少なくとも１つの検波回路において検出された検波信号が，前記所定基準値より大きいと判定されたなら，この判定結果に基づいて，全てのテレビ信号受信経路において，アンテナからのテレビ信号が前記信号通過回路を通過するように前記信号経路選択手段を切換制御し，
夫々の検波回路において検出された検波信号が，何れも前記所定の値より小さいと判定されたなら，この判定結果に基づいて，全てのテレビ信号受信経路において，アンテナからのテレビ信号が前記アンテナ側増幅部を通過するように前記信号経路選択手段を切換制御する，ように構成したので，
これによって，電界強度が低い地域でも強い地域でも自動的に対応可能となる。
【００２３】
請求項７の発明によれば，請求項１乃至請求項６の何れか一項に記載のテレビ受信用増幅装置において，テレビ受信用のアンテナと，少なくとも前記混合部と端末側増幅部との間に介設する所定長さの伝送線路と，を予め備えたので，
これによって，テレビ受信用増輻装置の配設が容易と成る。
【００２４】
請求項８の発明によれば，請求項１乃至請求項７の何れか一項に記載のテレビ受信用増幅装置において，少なくとも，前記混合部と端末側増幅部との間に介設する伝送線路は，外形寸法が２．５ｍｍと同じ若しくはこれより細径の同軸ケーブルを使用するように構成したので，
これによって，例えば車などの移動体に配設することが容易となる。
【００２５】
請求項９の発明によれば，請求項１乃至請求項８の何れか一項に記載のテレビ受信用増幅装置において，少なくとも前記テレビ受信用のアンテナは，車体の外部に装着された表示灯若しくは広告塔に内蔵するように構成したので，
これによって，タクシーやバス等が外観を損なうことなくテレビ受信用増輻装置の配設ができる。
【００２６】
請求項１０の発明によれば，請求項１乃至請求項９の何れか一項に記載のテレビ受信用増幅装置において，前記テレビ受信用のアンテナは，フィルムアンテナから成るように構成したので，
これによって，車等の窓ガラスにアンテナを配設してもすっきりと配線でき，邪魔に成らない。
【００２７】
請求項１１の発明によれば，請求項１乃至請求項１０の何れか一項に記載のテレビ受信用増幅装置において，前記テレビ受信用増幅装置は地上ディジタル放送受信用であるように構成した。
これによって，地上ディジタル放送がより安定して受信できる。
【００２８】
請求項１２の発明によれば，少なくとも，テレビ受信用のアンテナと，該アンテナにて受信したテレビ信号を増幅して端末側に一本の伝送線路によって伝送する増幅部とから成るテレビ受信用増幅装置を備えたテレビ受信システムにおいて，
前記テレビ受信用増幅装置は，請求項１乃至請求項１１の何れかに記載のテレビ受信用増幅装置用いて構成したので，
これによって，防水構造を心配することがないく，設置工事が簡単で，安定したテレビ放送の受信が可能な受信システムを提供できる。
【発明を実施するための最良の形態】
【００２９】
以下に，本発明を具体化した実施形態の例を，図面を基に詳細に説明する。
図１は本願に係るテレビ受信用増幅装置の第１の実施形態を示す概略ブロック図であり，図２は本願に係るテレビ受信用増幅装置の第２の実施形態を示す概略ブロック図であり，図３は本願に係るテレビ受信用増幅装置の第３の実施形態を示す概略ブロック図である。
【実施例１】
【００３０】
図において５０は本発明のテレビ受信用増幅装置である。１はテレビ放送受信用のアンテナであり，本願の実施例によれば地上ディジタル用のＵＨＦアンテナをｎ個備えた実施例を示す。尚以下の説明では説明を簡単にするために，特に明記しない限りアンテナ１−１につながる一系統の信号経路について説明する。
アンテナ１−１で受信されたテレビ信号は，１２−１に示されるアンテナ側増幅部と１３−１に示される信号通過回路を，アンテナ側増幅部１２−１において所定レベルまで増幅させるか，信号通過回路１３−１においてそのまま通過（若しくは所定量だけ減衰させて）させるかを選択的に切換可能に構成された信号経路選択手段１１−１によって選択されて第１出力分岐回路１４に入力される。
アンテナ側増幅部１２−１は，例えば高周波素子としての低雑音トランジスタ等から構成された低雑音プリアンプである。また，本発明における信号通過回路１３−１は，例えばアンテナ側増幅部１２−１を構成するプリント基板における導電材を用い，通過損失が大きくならないように構成されたものである。尚，この信号通過回路１３−１には必要に応じて所定の減衰量を持つ減衰器若しくは複数の減衰量を段階的に選択できるように複数の減衰器を設けてもよい。
信号経路選択手段１１−１は，例えば高周波信号を通過可能なリレーやＰＩＮダイオード等を使って構成された電子スイッチからなリ，この切替えはマニュアル操作でできるようにしても良いし，後に説明するような構成で自動切替えで，できるようにしてもよい。
【００３１】
この信号経路選択手段１１−１から出力されたテレビ信号は，第１出力分岐回路１４−１に入力される。この第１出力分岐回路１４−１はテレビ信号を出力側に送出すると共に，第１出力分岐端子１４−１ａからこのテレビ信号の一部を取り出すように構成された，例えばフェライトコアにポリウレタン線を巻き回した分岐器から成る。第１出力分岐端子１４−１ａには，この端子から出力されたテレビ信号を検波して，テレビ信号の強弱に応じた検波信号を得るための検波ダイオードから成る第１検波回路１５−１が接続されている
【００３２】
第１出力分岐回路１４−１から出力されたテレビ信号は，第１信号減衰回路１６−１に入力される。この第１信号減衰回路１６−１は，例えばＰＩＮダイオードからなる所謂π型の減衰器であり，第１制御回路１７−１において生成される第１信号減衰回路制御信号に対応した減衰量を得るように構成されている。
【００３３】
更にこの第１信号減衰回路１６−１の出力には，該第１信号減衰回路１６−１から出力される信号を端末側へ出力すると共に，端末側から伝送線路３を介して供給される電源電圧を，例えば前記アンテナ側増幅部１２−１等の駆動用として供給するように構成した第１電源分離・重畳回路１８−１が接続されている。
尚，本実施例では，少なくとも，前記第１出力分岐回路１４−１と第１検波回路１５−１，第１信号減衰回路１６−１と第１制御回路１７−１でテレビ信号受信経路２−１を構成するものであり，例えば同一プリント基板上に夫々の回路を配設するように構成されている。加えて本発明の第１実施例では，アンテナ側増幅部１２−１，信号通過回路１３−１，信号経路選択手段１１−１，及び，前記第１電源分離・重畳回路１８−１を前記プリント基板上に備えるように構成することによって，機器の小型化，配線の合理化がなされている。また，アンテナ１−２，・・・１−ｎに対しても，これと同様のテレビ信号受信経路２−２，・・・２−ｎが夫々に備えられ，これらの各テレビ信号受信経路２から出力されたテレビ信号は，混合器８において混合された後に伝送線路３を介して端末側に送出される。
【００３４】
次に図に示される５は信号処理部である。この信号処理部５は夫々のテレビ信号受信経路２に備えられた前記第１検波回路１５が検波した検波信号を夫々受入れると共に，この夫々の検波信号の大きい小さいを比較・判定するように構成されている。そしてこの判定結果に基づいて，一番大きい検波信号が得られるテレビ信号受信経路２に備えられた第１信号減衰回路１６の減衰量を最小値とし，残りのテレビ信号受信経路に備えられた第１信号減衰回路１６の減衰量を最大値とするように，夫々のテレビ信号受信経路２に備えた第１制御回路１７に対して第１制御回路制御信号を送出するように構成されているのである。即ち，例えばアンテナ１−１が受信しているテレビ信号の強度が一番大きいと判断されたなら，信号処理部５は第１制御回路１７−１に対して第１信号減衰回路１６−１の減衰量を最小にするように第１制御回路制御信号を出力し，第１制御回路１７−２，・・・１７−ｎに対しては第１信号減衰回路１６−２，・・・１６−ｎの減衰量を最大値となるように第１制御回路制御信号を出力するように構成されているのである。これによって，最も受信状態のよい（受信レベルが高い）テレビ信号受信経路２を通過したテレビ信号が，混合器８から端末側に送出されるように構成されているのである。
【００３５】
更には，各テレビ信号受信経路２に備えられた前記第１検波回路１５が検波した夫々の検波信号が所定基準値より強いか弱いかを判断し，何れか１つのテレビ信号受信経路２における受信レベルが所定レベルより強いと判断されたなら，全てのテレビ信号受信経路２の前記信号経路選択手段１１を信号通過回路１３側の信号経路とし，所定基準値を下回ると判断されたなら，全てのテレビ信号受信経路２の前記信号経路選択手段１１をアンテナ側増幅部１２側の信号経路とするように，信号経路選択手段１１に対して信号経路選択手段制御信号を出力するように構成されている。即ち，これによって，電界強度の弱い場所であっても，電界強度の強い場合であっても自動的に対応可能なダイナミックレンジの広いテレビ信号受信経路を構成できるのである。
【００３６】
尚，本発明においては，少なくとも，第１出力分岐回路１４，第１検波回路１５，第１信号減衰回路１６，第１制御回路１７から成るテレビ信号受信経路２は同一プリント基板に配設されるように構成されており，該プリント基板は樹脂材料や金属材料から形成されたケースに収納されている。このケースは小型に形成されており，例えば車などの移動体の設置されるアンテナ近傍に，簡単且つ邪魔にならないように設置できるように構成されている。
また，このケース内に収納されるプリント基板には，アンテナ側増幅部１２，第１電源分離・重畳回路１８ばかりでなく，信号処理部５，及び，混合器８等を備えさせるようにしてもよく，後に詳述する第２実施形態，第３実施形態等に合わせて，適宜にその構成を変更してもよい事は言うまでもない。
更に，信号処理部５における第１信号減衰回路１６の制御手順は，例えば，一番受信レベルの強いアンテナに接続されたテレビ信号受信経路に備えた第１信号減衰回路の減衰量を最小値にし，所定時間経過した後にレベルの低いテレビ信号受信経路に備えた第１信号減衰回路の減衰量を最大値となるように所定の時間差を持たせて制御するといった，切換えが同時に行われないようにする事によって，切換え時に発生するノイズ等によって画像がフリーズするなどの影響を無くすことができる。信号経路選択手段の制御手順においても所定時間ずらして制御するように構成してもよい。
【００３７】
次に，混合器８から出力されたテレビ信号は，伝送線路３を介して端末側増幅部２０に入力される。ここで端末側増幅部２０の説明を行う。
端末側増幅部２０に入力されたテレビ信号は，端末側から伝送線路４，第３電源分離・重畳回路２５を介して供給される電源電圧を，前記伝送線路３に重畳して入力側へ送出すると共に，混合器８からのテレビ信号を出力側へ送出する第２電源分離・重畳回路２８を介してテレビ信号増幅回路２１に入力される。このテレビ信号増幅回路２１は，前記第２電源分離・重畳回路２８を通過したテレビ信号を所望のレベルまで増幅するために，例えば高周波素子としてのトランジスタ等から構成されたアンプである。
【００３８】
次にテレビ信号増幅回路２１において所定レベルまで増幅されたテレビ信号は，このテレビ信号を所定範囲で減衰させる第２信号減衰回路２２に入力される。
この第２信号減衰回路２２は，ＰＩＮダイオードからなる所謂π型の減衰器であり，第２制御回路２７において生成される第２信号減衰回路制御電圧に対応した減衰量を得るように構成されている。
次に第２信号減衰回路２２を通過した信号は，次段のテレビ受信増幅回路２３において所定レベルまで増幅される。この次段のテレビ信号増幅回路２３も，例えばトランジスタ等によって構成された高周波増幅回路であり，特に出力レベルに余裕を持つ高出力型となるようにトランジスタの選択やバイアス設計がなされている。このテレビ信号増幅回路２３において所定レベルまで増幅されたテレビ信号は第２出力分岐回路２４に入力される。
第２出力分岐回路２４は本発明の実施例では，例えばフェライトコアにポリウレタン線を巻回してなる分岐コイルから成る分岐回路であり，テレビ信号増幅回路２３から出力されたテレビ信号を出力側へ出力すると共に，該増幅されたテレビ信号の一部を第２出力分岐端子２４ａに出力するように構成されている。
尚，本願の実施例によれば，端末側増幅部２０を構成するテレビ信号増幅回路２１，２３は，特にこの実施例のような構成に限定されるのもではなく，適宜に所望の特性が得られるように構成してもよい事は言うまでもない。
【００３９】
また，前記第２出力分岐回路２４の第２出力分岐端子２４ａには，所定帯域の信号を通過させる例えばフィルタ手段２９（例えばバンドパスフィルタ）を介して，前記テレビ信号増幅回路による増幅後のテレビ信号を所定レベルとする，第２信号減衰器２２を制御する第２制御回路２７が備えられている。
この第２制御回路２７は，図には省略されているが，第２出力分岐端子２４ａからのテレビ信号を取り込み，端末側増幅部２０における出力レベルの強度を検出するための，例えば信号検波用のダイオードによる検出部と，該検出部から出力される検波信号を取り込み，基準値と比較することによって，出力レベルが基準値を超えているかいないかを判定する，例えばオペレーショナルアンプと抵抗等で構成した演算回路を備えた演算部とから成る。
つまりは，端末側増幅部２０における出力レベルの強度を検出部で検出して，その検波信号が基準値を超えているかいないかの判断を演算部において行い，検波信号が基準値より高い場合は，検波信号に応じた信号が演算部より第２信号減衰回路制御信号として出力され，この第２信号減衰回路制御信号によって，上記第２信号減衰回路２２が制御されることによって，端末側増幅部２０は自動利得調整を行いながら増幅するのである。
検波信号が基準値より低い場合は，演算部より出力される信号がほぼゼロとなり，上記第２信号減衰回路２２には制御電圧が印加されず，該第２信号減衰回路２２は減衰量がほぼゼロの通過状態となり，自動利得調整回路は動作しない通常の増幅部２０として動作するのである。
【００４０】
次に端末側増幅部２０から出力されたテレビ信号は，伝送線路４を介して３０に示す端末側装置に入力される。この端末側装置３０は，一般的にテレビ受像機若しくはＴＶモニタや，ＨＤＤレコーダー等のディジタル家電であってもよいし，地上ディジタル放送用のチューナであってもよい。また，これらの端末側装置３０と前記増幅部２０との間に介設した同軸ケーブルに挿設させて，例えば車のシガライターのソケットから電源を取るように構成した，アンテナ側増幅部や端末側増幅部に電源供給するための電源挿入器として構成してもよいなど，特にその構成を限定するものではない。
本発明の実施例では，端末側装置３０は，少なくとも，ＡＣ１００Ｖ若しくは車のバッテリーのＤＣ電源から前記電源電圧を生成する端末側電源生成回路３１と，前記端末側増幅部２０と端末装置３０との間に介設される伝送線路４からのテレビ信号を通過させると共に，前記電源電圧を伝送線路４に重畳して送出するための電源電圧分離・重畳回路３２と，を備えた，地上ディジタル放送用のチューナの例を示しており，このチューナから出力された信号は液晶モニタなどに接続されている。
以上説明したように，本発明にかかる第１の実施形態のテレビ受信用増幅装置５０は，少なくとも，複数のテレビ信号受信経路２から一番受信状態のよいテレビ信号を選択的に出力し，この出力したテレビ信号を自動利得調整をかけながら増幅するように構成されているのである。尚，テレビ受信増幅装置５０として，アンテナを備えても良いし，同軸ケーブルを付属させてもよい等，実施例に限定されるものではない。
【００４１】
次に，本発明のテレビ受信用増幅装置５０を用いた具体的な配線システム例について，図４を用いて説明する。この実施例では少なくともアンテナ１を３つ，例えば車１００の移動体のウインドガラスに設置されている。
この図においてアンテナ１は，例えば透明性の良いフィルム状の絶縁体の表面に導電材料を用いてアンテナ素子を形成したダイポールアンテナから成るＵＨＦディジタル放送用のアンテナであり，それぞれ前面側，左右の側面後方の適宜に離れた位置であって，夫々異なる方向を向くように配置させてあり，何れかのアンテナが最適な受信が出来るようにしてある。
尚，実施例に示すアンテナの設置の状態は特にこの配置に限定されるものではない。またアンテナの形状も実施例に限定されるものではない。
【００４２】
この実施例においては，収納ケースに３系統のテレビ信号受信経路２と，各テレビ信号受信経路２に対応したアンテナ側増幅部１２，第１電源分離・重畳回路１８等に加え，信号処理部５，及び，混合器８等を相互に影響しないように適宜に配設するように構成した例を示す。この実施例によれば，テレビ信号受信経路２と混合器８との高周波信号の接続，及び，テレビ信号受信経路２と信号処理部５との制御信号の接続が，プリント配線板によってできるので，取り扱いの簡単な構成のテレビ受信用増幅装置を提供できるのである。つまり，アンテナ１と端末側装置３０との伝送線路にテレビ受信用増幅装置５０を介設すれだけになり，システムの配線等が簡単になる。
尚，前記アンテナとテレビ信号受信経路２は，できる限り短い距離で接続することによってテレビ信号のＣ／Ｎの劣化が少なくすることができるので，テレビ信号受信経路２は夫々個別に形成して，アンテナ近傍に備えさせるように構成してもよい。 
【００４３】
混合器８と端末側増幅部２０との間に接続されている同軸ケーブル３，また，端末側増幅部２０と端末側装置３０の間に接続されている同軸ケーブル４は，例えば２Ｃ若しくはそれより細径の可曲性の良い同軸ケーブルを用いるのが好適であり，車体のラインや内装に合わせた配設を容易にすると共に，アンテナを車外に設置した場合などに，車体内部への引き込み作業を容易としている。尚，この同軸ケーブ３，４は所定の長さに形成したものを，予め接続した状態にしてもよいし，別体に用意してコネクタで接続できるように構成してもよい。また，端末側増幅部２０を端末側装置３０に内蔵させてもよく，この場合，同軸ケーブル４は不要と成る。 
【００４４】
次に端末側装置３０について説明する。本発明の実施例ではこの端末側装置３０は地上ディジタル放送用のチューナであり，車のトランクルーム，シートの下，ダッシュボード等に設置されている。
従って，本発明の実施例に示すシステムでは，チューナ３０は，自動的に３つのアンテナの中から一番強いテレビ信号が，所定レベルまで増幅されて入力されている。更にチューナ３０には，入力されたテレビ信号から所定のテレビチャンネル信号を選局・復調する選局・復調手段から成る受信部３５が備えられており，この受信部３５において復調された信号は，例えば車のダッシュボード等に設置された液晶テレビ等の表示手段に接続されるのである。 
【実施例２】
【００４５】
次に本発明の第２の実施形態として図２を，第３の実施形態として図３を，参照して説明する。尚，以下の説明では，上記第１の実施形態のテレビ共同受信用増幅装置と同様の構成要素については同一符号を付与し，詳細な説明は省略する。                            
【００４６】
この第２の実施形態では，第１の実施形態と比較してテレビ信号受信経路２の入力の構成が異なるものである。この実施例では，アンテナ１と第１出力分岐回路１４との間にはアンテナ側増幅部１２のみが備えられたものであり，信号経路切換手段１１及び信号通過回路１３を備えていない例であり，強電界地域を除く地域に対応可能である。
また，第３の実施形態では，第１の実施形態と比較してテレビ信号受信経路２の入力にはアンテナ側増幅部１２，信号経路切換部１１及び信号通過回路１３が備えられていない例で，例えば強電界地域に適したテレビ受信用増幅装置を提供できる。
【００４７】
以上，本発明のテレビ受信用増幅装置５０は，特に地上ディジタル放送を受信するために好適であり，これを用いれば，簡単な構成のダイポールアンテナ１を使った受信システムシステムであっても，これらのアンテナを相互に離して複数個設け，これらのアンテナとテレビ受信用増幅装置５０とを接続するだけの簡単な作業で，それぞれのアンテナで受信されたテレビ信号から，もっとも受信レベルの高い信号を増幅すると共に，他のアンテナからの信号は信号減衰器によって増幅部に入力されないようにすることによって，妨害のないテレビ信号を安定して端末側装置に供給できるように構成されており，車の周りの電波状況が大きく変化しても，何れかのアンテナで最適な受信が出来るように構成されるのである。
【００４８】
また，本発明の実施例に示したように，信号経路の制御，信号減衰回路の制御を，僅かに時間をずらすように構成することによって，特に地上ディジタル放送受信に際して，夫々のアンテナからの信号を切替えて一番強いテレビ信号を受信するように構成してあっても，切替え時に発生するノイズ等によって画像がフリーズするなどの影響がないし，回路構成が簡単に成るので安価にできるのである。
【００４９】
また，例えば，地上ディジタル放送を受信するために使用する場合のように，現時点において地上ディジタル放送波の送信電力などがフルパワーでない地域や，安定的に出されていない地域において使用する場合に最適な受信状態に成るように設置されたままの状態で，２０１１年以降にテレビ放送が完全ディジタル化され，現状の受信状態より多チャンネルの電波が入力されたり，送信電力の増力化がなされたりし，増幅装置に更に大きいレベルの信号が入力されても，自動的に最適な出力レベルが得られるので，入力レベルの変化に対するダイナミックレンジが広い受信できるのである。
【００５０】
加えて，車のような移動体での使用を考えたときに，完全ディジタル化における受信レベルの変動ばかりでなく，移動時のように短時間の間に，電界強度が大きく変化する場合があるが，この入力の変化に対応するために，移動時（即ち運転時）に，減衰器の設定や入力の信号経路の切換えを，例えばスイッチ等を使って切替える事もなく自動的に最適化されるので，安全性に優れているのである。更に，このようなスイッチ操作をする必要がないので，テレビ受信用増幅装置５０や受信端末装置３０の設置場所は限定されることがなく，極めて利便性の良いテレビ受信用増幅装置を備えたテレビ受信システムが提供できるのである。 
尚，本発明は上記実施の形態に限定されるものではなく，本発明の趣旨を逸脱しない範囲で各部構成を適宜に変更して実施することも可能である。
【図面の簡単な説明】
【００５１】
【図１】本発明に係るテレビ受信増幅装置の第１の実施形態を示す概略ブロック図である。
【図２】第１の実施形態の異なる実施例を示す概略ブロック図である。
【図３】本願に係る第２の実施形態を示す概略ブロック図である。
【図４】本願のテレビ受信用増幅装置を車体に取付けたときの概略図である。
【符号の説明】
【００５２】
１…アンテナ，２…テレビ信号受信経路，３・４…伝送線路，５…信号処理部，８…混合器，１１…信号経路選択手段，１２…アンテナ側増幅部，１３…信号通過経路，１４…第１出力分岐手段，１４ａ…第１出力分岐端子，１５…第１検波回路，１６…第１信号減衰回路，１７…第１制御回路，１８…第１電源分離・重畳回路，２０…端末側増幅部，２１…テレビ信号増幅回路，２２…第２信号減衰回路，２３…テレビ増幅回路，２４…第２出力分岐手段，２４ａ…第２出力分岐端子，２５…第３電源分離・重畳回路，２７…第２制御回路，２８…第２電源分離・重畳回路，２９…フィルタ手段，３０…端末側装置，３１…端末側電源電圧生成回路，３２…電源電圧分離・重畳回路，３５…受信部。
【図１】
2007081975.tif 000003
【図２】
2007081975.tif 000004
【図３】
2007081975.tif 000005
【図４】
2007081975.tif 000006